(57)【要約】【課題】  無線タグなどの情報読取り手段なしにあるいは少数の情報読取り手段を用いて、画像形成時の高いセキュリティを達成する。【解決手段】  作像手段ＰＴＲ；印刷済用紙に管理情報を付加する情報付加手段１１８；汎用トレイ１０４，ステープラ１０６および特別トレイ１１０を備えて、画像を印刷した用紙を、ステープラで選択的に綴じて汎用トレイと特別トレイに選択的に送出するフィニッシャ１００；印刷指示手段２／ＰＣ）；印刷済報知手段１，４，５；および、印刷指示があった画像の管理情報に機密情報がないと印刷済用紙を汎用トレイ１０４に送出し、機密情報があると印刷済用紙に管理情報を付加しステープラ１０６で綴じて特別トレイ１１０に送出して、ユーザ端末に印刷済を報知する、作像制御手段１；を備える。複写の場合には、機密情報がある原稿に、ユーザＩＤおよび複写ジョブを付加する。【選択図】  図３
2010186012.tif 000002
【特許請求の範囲】
【請求項１】
画像を用紙上に印刷する作像手段；
該作像手段が画像を印刷する用紙に管理情報を付加する情報付加手段；
汎用トレイ，ステープラおよび特別トレイを備えて、前記作像手段が画像を印刷した用紙を、前記ステープラで選択的に綴じて汎用トレイと特別トレイに選択的に送出するフィニッシャ；
画像の印刷を指示する印刷指示手段；
印刷済を報知する印刷済報知手段；および、
前記印刷指示手段により印刷指示があった画像の管理情報に機密情報がないと、前記印刷指示手段により該画像を前記作像手段で印刷し印刷済の用紙を前記フィニッシャの汎用トレイに送出し、
前記印刷指示手段により印刷指示があった画像の管理情報に機密情報があると該画像を前記作像手段で印刷し、前記情報付加手段で該画像を印刷する用紙に該画像の管理情報を付加し、印刷済の用紙を、前記フィニッシャの前記ステープラで綴じて前記特別トレイに送出して、前記印刷済報知手段を用いて印刷済を報知する、作像制御手段；
を備える画像形成装置。
【請求項２】
画像形成装置はさらに、ユーザＩＤ入力手段(2/PC1/118)；および、前記印刷指示手段により印刷指示があった画像の管理情報に機密情報があるか検索し、機密情報があると、前記ユーザＩＤ入力手段により入力されたユーザＩＤが、該画像の印刷許可／不許可かを認証する認証手段；を備え、
前記作像制御手段は、前記認証が「不許可」であると前記印刷指示手段により印刷指示があった画像の前記作像手段による印刷は拒絶し、前記認証が「許可」であると前記印刷指示手段により印刷指示があった画像を前記作像手段で印刷する；請求項１に記載の画像形成装置。
【請求項３】
前記作像制御手段は、印刷する画像の管理情報に機密情報がある場合、前記印刷指示手段により印刷指示があった画像の管理情報に、前記ユーザＩＤ入力手段により入力されたユーザＩＤおよび印刷ジョブの情報を付加する；請求項２に記載の画像形成装置。
【請求項４】
前記ユーザＩＤ入力手段は、前記ユーザＩＤの端末を含む；請求項２又は３に記載の画像形成装置。
【請求項５】
原稿の画像を読取る画像読取り手段；
前記原稿の管理情報を読取る管理情報読取り手段；
画像を用紙上に印刷する作像手段；
該作像手段が画像を印刷する用紙に管理情報を付加する情報付加手段；
汎用トレイ，ステープラおよび特別トレイを備えて、前記作像手段が画像を印刷した用紙を、前記ステープラで選択的に綴じて汎用トレイと特別トレイに選択的に送出するフィニッシャ；
画像の印刷を指示する印刷指示手段；
印刷済を報知する印刷済報知手段；および、
前記印刷指示手段により複写印刷の指示があった原稿に機密情報がないと、前記画像読取り手段で原稿の画像を読取り、該画像を前記作像手段で用紙上に印刷する複写を実行し印刷済の用紙を前記フィニッシャの汎用トレイに送出し、
前記印刷指示手段により複写印刷の指示があった原稿に機密情報があると該原稿の前記複写を実行し、前記情報付加手段で該複写の用紙に該原稿の管理情報を付加し、印刷済の用紙を前記フィニッシャの前記ステープラで綴じて前記特別トレイに送出して、前記印刷済報知手段を用いて印刷済を報知する、作像制御手段；
を備える画像形成装置。
【請求項６】
画像形成装置はさらに、ユーザＩＤ入力手段；および、前記管理情報読取り手段が読取った管理情報に機密情報があるか検索し、機密情報があると、前記ユーザＩＤ入力手段により入力されたユーザＩＤが、該機密情報がある原稿の印刷許可／不許可かを認証する認証手段；を備え、
前記作像制御手段は、前記認証が「不許可」であると前記印刷指示手段により複写印刷の指示があった原稿の複写は拒絶し、前記認証が「許可」であると前記印刷指示手段により複写印刷の指示があった原稿の前記複写を実行する；請求項５に記載の画像形成装置。
【請求項７】
原稿の画像を読取る画像読取り手段；
前記原稿の管理情報を読取る管理情報読取り手段；
画像を用紙上に印刷する作像手段；
該作像手段が画像を印刷する用紙に管理情報を付加する情報付加手段；
汎用トレイ，ステープラおよび特別トレイを備えて、前記作像手段が画像を印刷した用紙を、前記ステープラで選択的に綴じて汎用トレイと特別トレイに選択的に送出するフィニッシャ；
印刷モード又は複写モードの画像の印刷を指示する印刷指示手段；
印刷済を報知する印刷済報知手段；および、
前記印刷指示手段により複写印刷の指示があった原稿に機密情報がないと、前記画像読取り手段で原稿の画像を読取り、該画像を前記作像手段で用紙上に印刷する複写を実行し印刷済の用紙を前記フィニッシャの汎用トレイに送出し、
前記認証が「許可」であると前記印刷指示手段により複写印刷の指示があった原稿の前記複写を実行し、前記情報付加手段で該複写の用紙に該原稿の管理情報を付加し、印刷済の用紙を前記フィニッシャの前記ステープラで綴じて前記特別トレイに送出して、前記印刷済報知手段を用いて印刷済を報知する、作像制御手段；
を備える画像形成装置。
【請求項８】
画像形成装置はさらに、ユーザＩＤ入力手段；および、印刷モードでは、該印刷指示手段により印刷指示があった画像の管理情報に機密情報があるか検索し、機密情報があると、前記ユーザＩＤ入力手段により入力されたユーザＩＤが、該画像の印刷許可／不許可かを認証し、複写モードでは、前記管理情報読取り手段が読取った管理情報に機密情報があるか検索し、機密情報があると、前記ユーザＩＤ入力手段により入力されたユーザＩＤが、該機密情報がある原稿の印刷許可／不許可かを認証する、認証手段；を備え、
作像制御手段は、前記認証が「不許可」であると前記印刷指示手段により複写印刷の指示があった原稿の複写は拒絶し、前記認証が「許可」であると前記印刷指示手段により複写印刷の指示があった原稿の前記複写を実行する；請求項７に記載の画像形成装置。
【請求項９】
前記作像制御手段は、前記特別トレイに印刷済の用紙を送出するとき、印刷済を、画像形成装置の操作パネルに表示する；請求項５乃至８のいずれか１つに記載の画像形成装置。
【請求項１０】
前記管理情報読取り手段は管理情報書き込み機能を持ち；前記作像制御手段は、該管理情報読取り手段が読取った原稿の管理情報に機密情報がある場合、該管理情報読取り手段によって、前記原稿の管理情報に、前記ユーザＩＤ入力手段により入力されたユーザＩＤおよび印刷ジョブの情報を付加する；請求項５乃至８のいずれか１つに記載の画像形成装置。
【請求項１１】
前記画像読取り手段は、原稿トレイの原稿束の各原稿を読取り位置に順次送る自動原稿送給手段を含み；前記作像制御手段は、前記自動原稿送給手段から送られる原稿束の原稿に対しては、前記原稿の管理情報への前記ユーザＩＤおよび印刷ジョブの情報の付加は、原稿束から送り出され、最初に機密情報が検出された１枚の原稿にのみ、実行する；請求項１０に記載の画像形成装置。
【請求項１２】
画像形成装置は更に、ネットワークを介して外部端末と通信する通信手段；および、該通信手段を介して受信した印刷ジョブの書画を前記作像手段による印刷に適する画像に変換して前記作像手段に与える画像処理手段；を備え、前記作像制御手段は、前記通信手段を介して受信した印刷ジョブの印刷済の用紙を、前記フィニッシャの前記ステープラで綴じて前記特別トレイに送出して、前記印刷済報知手段を用いて前記印刷ジョブを与えた外部端末に印刷済を報知する；請求項１，２，３，４，７又は８に記載の画像形成装置。
【請求項１３】
画像形成装置は、前記特別トレイから印刷済の用紙を取り出す開口を開閉するカバー；および、該カバーを施錠／解錠するオートロック；を備え、前記作像制御手段は、前記ユーザＩＤ入力手段より、前記特別トレイに用紙を送出した印刷を指示したユーザＩＤが入力されると、前記オートロックを解錠する；請求項１乃至１２のいずれか１つに記載の画像形成装置。
【請求項１４】
前記情報付加手段はＩＤカード上の管理情報媒体のユーザＩＤ読取り機能を持ち；
前記作像制御手段は、前記情報付加手段が読取ったユーザＩＤが、前記特別トレイに用紙を送出した印刷を指示したユーザＩＤに符合すると、前記オートロックを解錠する；請求項１乃至１２のいずれか１つに記載の画像形成装置。
【請求項１５】
前記ユーザＩＤ入力手段は、画像形成装置の操作パネルを含む；請求項１乃至１４のいずれか１つに記載の画像形成装置。
【請求項１６】
前記情報付加手段はＩＤカード上の管理情報媒体のユーザＩＤ読取り機能を持ち；前記ユーザＩＤ入力手段は、該情報付加手段を含む；請求項１乃至１５のいずれか１つに記載の画像形成装置。
【発明の詳細な説明】
【技術分野】
【０００１】
本発明は、作像した用紙に管理情報を付加する画像形成装置に関し、特に、出力書画の、該管理情報を用いるセキュリティ管理に関する。本発明の画像形成装置は例えば、不揮発メモリにかぎらず、マーク，磁気記録，すかし，ドットなどを、管理情報媒体として添付した用紙を用いる、プリンタ，複写機あるいはファクシミリ装置に実施できる。
【背景技術】
【０００２】
昨今、セキュリティの意識の高まりにより、プリンタ，複写機，ファクシミリ装置などのＯＡ機器の出力書画に対して、より一層安全性が高い管理を求められている。また、近年、物流や在庫管理の簡素化を目的として商品に、ＩＣチップ，タグ，ＩＤメモリなどと呼ばれる、電波を介して非接触読み書きが可能な不揮発性メモリを添付することが増えてきた。
【０００３】
電子写真方式を用いた画像形成装置においても、ユーザやサービス担当者が消耗品や寿命部品を容易に交換できるようにカートリッジ方式が広く用いられている。近年では前記カートリッジの情報やリサイクルや消耗品の残量を管理するためＩＤメモリを搭載したものも使用されるようになってきた。ＩＤメモリにはカートリッジの使用時間やトナー等の消耗品の残量データ等を記憶しカートリッジの交換時期の判断に使用されている。
【０００４】
また、パンフレット，プリント用紙などの印刷物に管理又は電子的な付加情報伝達のためのマーク，磁気記録，すかし，ドットなどを付加あるいは組込みすることも行われている。
【０００５】
特許文献１は、原稿に搭載されたＩＤチップの情報を読取って使用者ＩＤデータと比較して、同一でないと、禁止メッセージを表示し操作を禁止する画像形成装置を記載している。特許文献２は、使用済用紙の裏面を利用する作像による表面画像の漏洩を防止するために、作像用紙のＩＣタグの情報を読んでそれが使用禁止であると該用紙への作像を禁止する画像形成装置を記載している。特許文献３は、印刷を終えたシートにユーザＩＤを記録したＩＤタグを貼り付けてトレイに排出し、リード回路が排出シートのＩＤタグを読んで、一定時間のうちにシートがなくならないと警告を出力する画像形成装置を記載している。また、無線ＩＤタグの構成を図４に開示している。特許文献４は、印刷を終えた印刷物上に、タグメモリが付いた仕切り板を載置し、所定時間以上仕切り板の回収がないと、印刷ジョブ発行元に、印刷物の回収催告を通知する画像形成装置を記載している。特許文献５は、排紙トレイのＩＤリーダによって用紙の最後に排出された合紙のＩＤを読取り、それがなくならないまま所定時間が経過するとユーザ端末に対して放置状態を警告する画像形成装置を記載している。特許文献６は、排紙トレイに配設したＩＤリーダが、印刷物の長時間の残留を検知すると利用者に通知する画像形成装置を記載している。
【発明の概要】
【発明が解決しようとする課題】
【０００６】
排紙トレイにＩＤリーダを装備するとコストアップになる。また、１つのＩＤリーダで１つ又は複数の排紙トレイ上の全印刷物のＩＤタグから転写紙情報を取得するのは困難、もしくは読み取り時間が長くなり、これを改善するには、複数のＩＤリーダが必要になる。また、印刷ジョブが複数枚の印刷物となる場合、一部の取り残しを生じ、機密書画が漏洩しやすい。
【０００７】
本発明は、情報読取り手段なしにあるいは少数の情報読取り手段を用いて、画像形成時の高いセキュリティを達成することを目的とする。
【課題を解決するための手段】
【０００８】
（１）画像を用紙上に印刷する作像手段(PTR)；
該作像手段が画像を印刷する用紙に管理情報を付加する情報付加手段(118)；
汎用トレイ(104)，ステープラ(106)および特別トレイ(110)を備えて、前記作像手段が画像を印刷した用紙を、前記ステープラで選択的に綴じて汎用トレイと特別トレイに選択的に送出するフィニッシャ(100)；
画像の印刷を指示する印刷指示手段(2/PC1)；
印刷済を報知する印刷済報知手段(1,4,5)；および、
前記印刷指示手段により印刷指示があった画像の管理情報に機密情報がないと、前記印刷指示手段により該画像を前記作像手段で印刷し印刷済の用紙を前記フィニッシャの汎用トレイ(104)に送出し、
前記印刷指示手段により印刷指示があった画像の管理情報に機密情報があると該画像を前記作像手段で印刷し、前記情報付加手段(118)で該画像を印刷する用紙に該画像の管理情報を付加し、印刷済の用紙を、前記フィニッシャの前記ステープラ(106)で綴じて前記特別トレイ(110)に送出して、前記印刷済報知手段(1,4,5)を用いて印刷済を報知する、作像制御手段(1)；
を備える画像形成装置。
【０００９】
なお、理解を容易にするために括弧内には、図面に示し後述する実施例の対応要素又は対応事項の符号を、例示として参考までに付記した。以下も同様である。
【発明の効果】
【００１０】
印刷する画像の管理情報に機密情報がある場合、印刷済の用紙をフィニッシャのステープラで綴じて特別トレイ(110)に送出するので、機密情報のない一般の印刷物との混載がなく、機密書画の選別が簡潔で、漏洩防止効果が高い。特別トレイ(110)には機密情報を読取る情報読取り手段を要しないので、情報読取り手段を少数にすることができる。
【図面の簡単な説明】
【００１１】
【図１】本発明の１実施例の画像形成装置である複合機能プリンタＭＦ１を接続したネットワークを示すブロック図である。
【図２】図１に示す複合機能プリンタＭＦ１の外観を示す正面図である。
【図３】図２に示す複合機能プリンタＭＦ１の機構概要を示す縦断面図である。
【図４】図２に示すスキャナ２１０およびＡＤＦ２３０の機構概要を示す縦断面図である。
【図５】図２に示す複合機能プリンタＭＦ１の電装系統のシステム構成を示すブロック図である。
【図６】図５に示すシステムコントローラ１の画像処理制御の概要を示すフローチャートである。
【図７】図６に示す「コピー」（ｓ１０）の内容の一部を示すフローチャートである。
【図８】図６に示す「コピー」（ｓ１０）の内容の残部を示すフローチャートである。
【図９】図６に示す「印刷」（ｓ１４）の内容の一部を示すフローチャートである。
【発明を実施するための形態】
【００１２】
（２）画像形成装置はさらに、ユーザＩＤ入力手段(2/PC1/118)；および、前記印刷指示手段により印刷指示があった画像の管理情報に機密情報があるか検索し、機密情報があると、前記ユーザＩＤ入力手段により入力されたユーザＩＤが、該画像の印刷許可／不許可かを認証する認証手段(1)；を備え、
前記作像制御手段(1)は、前記認証が「不許可」であると前記印刷指示手段により印刷指示があった画像の前記作像手段による印刷は拒絶し、
前記認証が「許可」であると前記印刷指示手段により印刷指示があった画像を前記作像手段で印刷する；上記（１）に記載の画像形成装置。
【００１３】
これによれば、印刷する画像の管理情報に機密情報がある場合、その印刷権限があるユーザＩＤの入力が無いと印刷を拒絶するので、機密画像の漏洩防止に更に効果がある。
【００１４】
（３）前記作像制御手段は、印刷する画像の管理情報に機密情報がある場合、前記印刷指示手段により印刷指示があった画像の管理情報に、前記ユーザＩＤ入力手段により入力されたユーザＩＤおよび印刷ジョブの情報を付加する；上記（２）に記載の画像形成装置。これによれば、機密情報がある画像の管理情報に、該画像を印刷したユーザＩＤおよび印刷ジョブが付加されるので、該画像の印刷履歴を容易に検索できる。
【００１５】
（４）前記ユーザＩＤ入力手段は、前記ユーザＩＤの端末(PC1)を含む；上記（２）又は（３）に記載の画像形成装置。
【００１６】
（５）原稿の画像を読取る画像読取り手段(210,230)；
前記原稿の管理情報を読取る管理情報読取り手段(253,254)；
画像を用紙上に印刷する作像手段(PTR)；
該作像手段が画像を印刷する用紙に管理情報を付加する情報付加手段(118)；
汎用トレイ(104)，ステープラ(106)および特別トレイ(110)を備えて、前記作像手段が画像を印刷した用紙を、前記ステープラで選択的に綴じて汎用トレイと特別トレイに選択的に送出するフィニッシャ(100)；
画像の印刷を指示する印刷指示手段(2)；
印刷済を報知する印刷済報知手段(1,2)；および、
前記印刷指示手段により複写印刷の指示があった原稿に機密情報がないと、前記画像読取り手段で原稿の画像を読取り、該画像を前記作像手段で用紙上に印刷する複写を実行し印刷済の用紙を前記フィニッシャの汎用トレイ(104)に送出し、
前記印刷指示手段により複写印刷の指示があった原稿に機密情報があると該原稿の前記複写を実行し、前記情報付加手段(118)で該複写の用紙に該原稿の管理情報を付加し、印刷済の用紙を前記フィニッシャの前記ステープラ(106)で綴じて前記特別トレイ(110)に送出して、前記印刷済報知手段(1,2)を用いて印刷済を報知する、作像制御手段(1)；
を備える画像形成装置。
【００１７】
これによれば、複写する原稿に機密情報がある場合、印刷済の用紙をフィニッシャのステープラで綴じて特別トレイ(110)に送出するので、機密情報のない一般の印刷物との混載がなく、機密書画の選別が簡潔で、漏洩防止効果が高い。
【００１８】
（６）画像形成装置はさらに、ユーザＩＤ入力手段(2/118)；および、前記管理情報読取り手段が読取った管理情報に機密情報があるか検索し、機密情報があると、前記ユーザＩＤ入力手段により入力されたユーザＩＤが、該機密情報がある原稿の印刷許可／不許可かを認証する認証手段(1)；を備え、
前記作像制御手段(1)は、前記認証が「不許可」であると前記印刷指示手段により複写印刷の指示があった原稿の複写は拒絶し、前記認証が「許可」であると前記印刷指示手段により複写印刷の指示があった原稿の前記複写を実行する；上記（５）に記載の画像形成装置。
【００１９】
これによれば、複写する原稿に機密情報がある場合、その印刷権限があるユーザＩＤの入力が無いと複写印刷を拒絶するので、機密画像の漏洩防止に効果がある。
【００２０】
（７）原稿の画像を読取る画像読取り手段(210,230)；
前記原稿の管理情報を読取る管理情報読取り手段(253,254)；
画像を用紙上に印刷する作像手段(PTR)；
該作像手段が画像を印刷する用紙に管理情報を付加する情報付加手段(118)；
汎用トレイ(104)，ステープラ(106)および特別トレイ(110)を備えて、前記作像手段が画像を印刷した用紙を、前記ステープラで選択的に綴じて汎用トレイと特別トレイに選択的に送出するフィニッシャ(100)；
印刷モード又は複写モードの画像の印刷を指示する印刷指示手段(2/PC1)；
印刷済を報知する印刷済報知手段(1,2,4,5)；および、
前記印刷指示手段により複写印刷の指示があった原稿に機密情報がないと、前記画像読取り手段で原稿の画像を読取り、該画像を前記作像手段で用紙上に印刷する複写を実行し印刷済の用紙を前記フィニッシャの汎用トレイ(104)に送出し、
前記印刷指示手段により複写印刷の指示があった原稿に機密情報があると該原稿の前記複写を実行し、前記情報付加手段(118)で該複写の用紙に該原稿の管理情報を付加し、印刷済の用紙を前記フィニッシャの前記ステープラ(106)で綴じて前記特別トレイ(110)に送出して、前記印刷済報知手段(1,2,4,5)を用いて印刷済を報知する、作像制御手段(1)；
を備える画像形成装置。
【００２１】
（８）画像形成装置はさらに、ユーザＩＤ入力手段(2/PC1/118)；および、印刷モードでは、該印刷指示手段により印刷指示があった画像の管理情報に機密情報があるか検索し、機密情報があると、前記ユーザＩＤ入力手段により入力されたユーザＩＤが、該画像の印刷許可／不許可かを認証し、複写モードでは、前記管理情報読取り手段が読取った管理情報に機密情報があるか検索し、機密情報があると、前記ユーザＩＤ入力手段により入力されたユーザＩＤが、該機密情報がある原稿の印刷許可／不許可かを認証する、認証手段(1)；を備え、
前記作像制御手段(1)は、前記認証が「不許可」であると前記印刷指示手段により複写印刷の指示があった原稿の複写は拒絶し、前記認証が「許可」であると前記印刷指示手段により複写印刷の指示があった原稿の前記複写を実行する；上記（７）に記載の画像形成装置。
【００２２】
（９）前記作像制御手段(1)は、前記特別トレイ(110)に印刷済の用紙を送出するとき、印刷済を、画像形成装置の操作パネル(2)に表示する；上記（５）乃至（８）のいずれか１つに記載の画像形成装置。
【００２３】
（１０）前記管理情報読取り手段(253,254)は管理情報書き込み機能を持ち；前記作像制御手段は、該管理情報読取り手段(253,254)が読取った原稿の管理情報に機密情報がある場合、該管理情報読取り手段によって、前記原稿の管理情報に、前記ユーザＩＤ入力手段により入力されたユーザＩＤおよび印刷ジョブの情報を付加する；上記（５）乃至（８）のいずれか１つに記載の画像形成装置。
【００２４】
これによれば、機密情報がある原稿の管理情報に、該画像を印刷したユーザＩＤおよび印刷ジョブが付加されるので、該画像の印刷履歴を容易に検索できる。
【００２５】
（１１）前記画像読取り手段(210,230)は、原稿トレイ(241)の原稿束の各原稿を読取り位置に順次送る自動原稿送給手段(230)を含み；前記作像制御手段(1)は、前記自動原稿送給手段から送られる原稿束の原稿に対しては、前記原稿の管理情報への前記ユーザＩＤ入ユーザＩＤおよび印刷ジョブの情報の付加は、原稿束から送り出され、最初に機密情報が検出された１枚の原稿にのみ、実行する；上記（１０）に記載の画像形成装置。
【００２６】
（１２）画像形成装置は更に、ネットワークを介して外部端末と通信する通信手段(4,5,6,16)；および、該通信手段を介して受信した印刷ジョブの書画を前記作像手段による印刷に適する画像に変換して前記作像手段に与える画像処理手段(1,8)；を備え、前記作像制御手段(1)は、前記通信手段を介して受信した印刷ジョブの印刷済の用紙を、前記フィニッシャの前記ステープラ(106)で綴じて前記特別トレイ(110)に送出して、前記印刷済報知手段(1,4,5)を用いて前記印刷ジョブを与えた外部端末に印刷済を報知する；上記（１），（２），（３），（４），（７）又は（８）に記載の画像形成装置。
【００２７】
（１３）画像形成装置は、前記特別トレイから印刷済の用紙を取り出す開口を開閉するカバー(115)；および、該カバーを施錠／解錠するオートロック(116)；を備え、前記作像制御手段(1)は、前記ユーザＩＤ入力手段(2/PC1/118)より、前記特別トレイに用紙を送出した印刷を指示したユーザＩＤが入力されると、前記オートロック(116)を解錠する；上記（１）乃至（１２）のいずれか１つに記載の画像形成装置。
【００２８】
（１４）前記情報付加手段(118)はＩＤカード上の管理情報媒体のユーザＩＤ読取り機能を持ち；
前記作像制御手段(1)は、前記情報付加手段(118)が読取ったユーザＩＤが、前記特別トレイに用紙を送出した印刷を指示したユーザＩＤに符合すると、前記オートロック(116)を解錠する；上記（１）乃至（１２）のいずれか１つに記載の画像形成装置。
【００２９】
これによれば、特別トレイを、カバー(115)があるオートロック付きケース内に収めることにより、機密印刷物の識別が容易になりしかも漏洩防止効果がより高くなる。
【００３０】
（１５）前記ユーザＩＤ入力手段は、画像形成装置の操作パネル(2)を含む；上記（１）乃至（１４）のいずれか１つに記載の画像形成装置。
【００３１】
（１６）前記情報付加手段(118)はＩＤカード上の管理情報媒体のユーザＩＤ読取り機能を持ち；前記ユーザＩＤ入力手段は、該情報付加手段(118)を含む；上記（１）乃至（１５）のいずれか１つに記載の画像形成装置。
【００３２】
本発明の他の目的および特徴は、図面を参照した以下の実施例の説明より明らかになろう。
【実施例】
【００３３】
図１に、本発明の第１実施例のフルカラー複合機能プリンタＭＦ１を接続したネットワークを示す。複合機能プリンタＭＦ１はＬＡＮ（Local Area Network）に接続されている。該ＬＡＮには、ユーザ端末であるパソコンＰＣ１〜ＰＣ３ならびに他の複合機能プリンタＭＦ２，ＭＦ３も接続されている。複合機能プリンタＭＦ２，ＭＦ３の機能は、ＭＦ１と同一もしくは類似である。ＬＡＮはルータを介してインターネットに接続しているので、ＬＡＮ接続の各機器ＰＣ１〜ＰＣ３，ＭＦ１〜ＭＦ３は相互に通信して制御情報および書画情報をやり取りすることができるばかりでなく、インターネットを介して、ＬＡＮネットワーク外の、他の機器やサーバと通信して制御情報および書画情報をやり取りすることができる。
【００３４】
パソコンＰＣ１〜ＰＣ３には、複合機能プリンタＭＦ１〜ＭＦ３を使用するアプリケーションソフト（プログラム）およびプリンタドライバがインストールされており、パソコンＰＣ１〜ＰＣ３は、複合機能プリンタＭＦ１〜ＭＦ３の操作パネル２と同様な入出力手段として、複合機能プリンタＭＦ１〜ＭＦ３の、画像読取り，画像蓄積，印刷，複写およびファクシミリ等の画像処理機能を使用することができる。
【００３５】
各機器ＰＣ１〜ＰＣ３，ＭＦ１〜ＭＦ３は、ＩＰアドレスを持ち、複合機能プリンタＭＦ１〜３は、ＵＲＬを持つサイト（サーバ）でもあって、ネットワーク（ＬＡＮ又はインターネット）を介してアクセスがあると複合機能を遠隔で使用するためのメニュー画面であるトップページ（ホームページ）を返送する。たとえばＰＣ１がＭＦ１にアクセスすると、ＭＦ１がトップページをＰＣ１に送信し、ＰＣ１がそれに接続したディスプレイ（ユーザディスプレイ）に該トップページを表示する。トップページには、メニュー項目の他に、ユーザ（ＰＣ１ユーザ）ＩＤおよびパスワードを入力するブロックがあり、そこにユーザが、ＭＦ１に登録したＩＤおよびパスワードを入力してキーボードのEnterキーを操作すると、或いはトップページ上のログインボタンをクリックすると、ＰＣ１が該操作を表わす情報をＭＦ１に送信する。これに応答して、ＭＦ１がトップページのメニュー項目を選択可にする表示制御情報をＰＣ１に送信し、これによりトップページのメニュー項目がアクティブ（入力受け入れ可）になる。
【００３６】
このように図１に示すシステムでは、例えば、ＭＦ１がＰＣ１に表示情報を提示（送信）し、ＰＣ１がユーザディスプレイに該表示情報を表示し、表示画面に対するユーザ入力をＰＣ１がＭＦ１に送信し、これに応答してＭＦ１が次のタスクを決定する。例えば表示画面を変更する情報をＰＣ１に送信する。すなわち、ＭＦ１がユーザデイスプレイの表示を変更し、表示画面に対するユーザ入力に応じてタスクを決定する。
【００３７】
図２に、図１に示す複合機能プリンタＭＦ１の外観を示す。このプリンタＭＦ１は、大略で、画像読取り手段であるカラースキャナ２１０および自動原稿送給装置であるＡＤＦ２３０と、ユーザＩＤ入力手段および印刷指示手段である操作パネル２と、作像手段であるカラープリンタＰＴＲと、そしてフィニッシャ１００、の各ユニットで構成されている。なお、操作パネル２，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、エンジンコントローラ８（図５）と通信を行いタイミング制御されて原稿画像の読み取りを行う。ユーザ端末およびユーザＩＤ入力手段であるパソコンＰＣ１〜ＰＣ３は、ＬＡＮ(Local Area Network)を介して複写機ＭＦ１〜ＭＦ３に接続されている。ファクシミリコントロールユニットＦＣＵ（図５）には、電話回線ＰＮ（ファクシミリ通信回線）に接続された交換器ＰＢＸが接続されている。カラープリンタＰＴＲのプリント済の用紙は、フィニッシャ１００に排出される。
【００３８】
図３に、カラープリンタＰＴＲの機構を示す。この実施例のカラープリンタＰＴＲは、レーザプリンタである。１色のトナー像を形成する、感光体３７および現像器４２ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト３８に沿ってタンデムに配列されており、それらによって形成された各色トナー像が順次に一枚の転写紙上に重ねて転写される。
【００３９】
第１トレイ３０，第２トレイ３１および第３トレイ３２に積載された転写紙は、各々第１給紙装置３３，第２給紙装置３４および第３給紙装置３５によって給紙され、縦搬送ユニット３６によって感光体３７に当接する位置まで搬送される。スキャナ２１０にて読み込まれた画像データは、書込ユニット４３からのレーザー露光によって、図示を省略したチャージャによって均一に荷電した感光体３７に書込まれこれにより静電潜像を形成する。この静電潜像が現像ユニット４２を通過することによって感光体３７上にトナー像が現れる。転写紙が感光体３７の回転と等速で搬送ベルト３８によって搬送されながら、感光体３７上のトナー像が転写される。その後、定着ユニット３９にて画像を定着させ、排紙ユニット４０によって後処理装置のフィニシャ１００に排出される。
【００４０】
図３に示す後処理装置のフィニシャ１００は、本体の排紙ユニット４０によって搬送された転写紙を、通常排紙ローラ１０３方向と、ステープル処理部方向へ導く事ができる。切り替え板１０１を上に切り替える事により、搬送ローラ１０３を経由して、汎用トレイである通常排紙トレイ１０４側に排紙する事ができる。
【００４１】
通常排紙トレイ１０４は、前後（図３紙面と垂直な方向）に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００４２】
転写紙の両面に画像を作像する場合は、各給紙トレイ３０〜３２から給紙され作像された転写紙を排紙トレイ１０４側に導かないで、経路切り替えの為の分岐爪４１を下向きに廻す事で、一旦反転ユニット１１２に導き、そして両面給紙ユニット１１１にストックする。その後、両面給紙ユニット１１１にストックされた転写紙は再び感光体３７に作像されたトナー画像を転写するために、両面給紙ユニット１１１から再給紙され、経路切り替えの為の分岐爪４１を図示水平に戻し、排紙トレイ１０４に導く。この様に転写紙の両面に画像を作成する場合に、反転ユニット１１２および両面給紙ユニット１１１が使用される。
【００４３】
感光体３７，搬送ベルト３８，定着ユニット３９，排紙ユニット４０および現像ユニット４２は、図示を省略したメインモータによって駆動され、各給紙装置３３〜３５はメインモータの駆動を、やはり図示を省略した各給紙クラッチによって伝達することにより駆動される。縦搬送ユニット３６は、メインモータの駆動を図示を省略した中間クラッチによって伝達することにより駆動される。
【００４４】
切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、特別トレイであるステープル完了排紙トレイ１１０に収納される。
【００４５】
ステープル完了排紙トレイ１１０から転写紙群を取り出すためには、ボックスカバー１１５を開けなければならないが、該カバー１１５はオートロック１１６でロック（施錠）／アンロック（解錠）が行われる。アンロックするためにはユーザは、自己ＩＤ（ユーザＩＤ）を書き込んだ無線タグであるＩＤタグを装備するＩＤカードを、カードスロット１１７に挿入しなければならない。カードスロット１１７の内方には、ＩＤカードの無線タグに書き込まれたデータ（タグ情報）を読取り、また、プリンタＰＴＲから送り込まれる転写紙（印刷済の用紙：印刷物）の、管理情報媒体である無線タグに対して管理情報を読み書きする、情報付加手段およびユーザＩＤ入力手段であるタグリード／ライタ１１８がある。
【００４６】
図４に、スキャナ２１０およびそれに装着したＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図４上で左から右への方向である副走査方向に定速駆動される第１キャリッジに搭載されている。第１キャリッジと同方向にその１／２の速度で駆動される、第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、電気モータ２３８を駆動源として、ｙ方向に往（フォワード；原稿走査），復（リタ−ン）駆動される。このようにスキャナ２１０は、コンタクトガラス２３１上の原稿をランプ２３２およびミラー２３３で走査して原稿画像をＣＣＤ２０７に投影するフラットベッド方式の原稿スキャナであるが、シートスルー読み取りも可能なように、第１キャリッジがホームポジション（待機位置）ＨＰで停止しているときの第１ミラー２３３の読み取り視野位置に、シートスルー読み取り窓であるガラス２４０があり、このガラス２４０の上方に自動原稿供給装置(ＡＤＦ)２３０が装着されており、ＡＤＦ２３０の搬送ドラム（プラテン）２４４がガラス２４０に対向している。
【００４７】
原稿トレイ２４１上に原稿があるか否かを原稿センサ２２３が検出し、また、該原稿にある管理情報媒体である無線タグに対して、管理情報読取り手段であるタグリード／ライタ２５４が管理情報の読み書きを行う。
【００４８】
ＡＤＦ２３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。この搬送系は、電気モータ２２４で駆動される。読み取りガラス２４０の近くには、第１キャリッジを検出する基点センサ（ホームポジションセンサＨＰＳ）２４９がある。
【００４９】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。
【００５０】
ＡＤＦ２３０の基体２４８は、奥側（図４紙面の裏側）でスキャナ２１０の基体にヒンジ結合（蝶番連結）しており、基体２４８の手前側（図４紙面の表側）の取っ手２５０ｍを持ってＡＤＦ２３０の基体２４８引き上げることにより、ＡＤＦ２３０を、コンタクトガラス２３１に略６０度をなす起立姿勢まで起こすことができる。ＡＤＦ２３０の基体２４８の奥側には、圧板開度検出スイッチ２５２がある。ＡＤＦ２３０の、コンタクトガラス２３１に対向する圧板２５０ｐがＡＤＦ２３０の底面部に装着されており、ＡＤＦ２３０の開度が０度のとき、圧板２５０ｐの下面が、図４に示すように、コンタクトガラス２３１の上面に密着する。
【００５１】
圧板２５０ｐは、コンタクトガラス２３１上の読取り位置に載せられた原稿にある管理情報媒体である無線タグに対して、管理情報を読み書きする、管理情報読取り手段であるタグリード／ライタ２５３を、装備している。
【００５２】
図５に、図１に示す複合機能プリンタＭＦ１の電装系統のシステム構成を示す。電装システムは、作像制御手段であって画像形成装置の全体制御を行うシステムコントローラ１、該コントローラ１に接続された、画像形成装置の操作パネル２、画像データを記憶するＨＤＤ３、アナログ回線を使用して外部との通信を行う通信コントロール装置インターフェースボード４、ＬＡＮインターフェースボード５、汎用ＰＩＣバスに接続された、ＦＡＸのコントロールユニットＦＣＵ６、ＩＥＥＥ１３９４ボード，無線ＬＡＮボード，ＵＳＢボード等７と、ＰＣＩバスでコントローラに接続されたエンジンコントローラ８、エンジンコントローラ８に接続された、画像形成装置のＩ／Ｏを制御するＩ／Ｏボード９、及び、コピー原稿（画像）を読込むスキャナーボード（ＳＢＵ：Sensor Board Unit）１１、及び画像データが表わす画像光を感光体上に投射する（光書込みする）ＬＤＢ（レーザダイオードボード）１２等で構成される。インターフェースボード４，５，ＦＣＵ６および通信コントロール装置１６は、外部端末と通信する通信手段である。
【００５３】
スキャナ２１０のＣＣＤ１３は、３ラインカラーＣＣＤであり、ＥＶＥＮｃｈ（偶数画素チャンネル）／ＯＤＤｃｈ（奇数画素チャンネル）のＲ、Ｇ、Ｂ画像信号を生成し、ＳＢＵボードのアナログＡＳＩＣ（Application Specific IC）に入力する。ＳＢＵボード１１にはアナログＡＳＩＣ及び，ＣＣＤ，アナログＡＳＩＣの駆動タイミングを発生する回路を備えている。ＣＣＤ１３の出力は、アナログＡＳＩＣ内部のサンプルホールド回路により、サンプルホールドされその後、Ａ／Ｄ変換され、Ｒ，Ｇ，Ｂの画像データに変換し、且つシェーディング補正し、そして出力Ｉ／Ｆ（インターフェース）１４で画像データバスを介して画像データ処理器ＩＰＰ（Image Processing Processor；以下では単にＩＰＰと記述）に送出する。
【００５４】
ＩＰＰは、画像処理を行うプログラマブルな演算処理手段であり、分離生成（画像が文字領域か写真領域かの判定：像域分離），地肌除去，スキャナガンマ変換，フィルタ，色補正，変倍，画像加工，プリンタガンマ変換および階調処理を行う。ＳＢＵからＩＰＰに転送された画像データは、ＩＰＰにて光学系およびデジタル信号への量子化に伴う信号劣化（スキャナ系の信号劣化）を補正されフレームメモリ１５に書込まれる。複写の場合には、ＩＰＰでプリンタガンマ変換および階調処理した画像データが、プリンタＰＴＲのＬＤＢ１２に送出される。
【００５５】
システムコントローラ１には、ＣＰＵ及びシステムコントローラボードの制御を行うＲＯＭ、ＣＰＵが使用する作業用メモリであるＲＡＭ，リチウム電池を内蔵し、ＳＲＡＭのバックアップと時計を内臓したＮＶ−ＲＡＭ１８及び、システムコントローラボードのシステバス制御、フレームメモリ制御、ＦＩＦＯ等のＣＰＵ周辺を制御するＡＳＩＣ及びそのインターフェース回路等が搭載されている。
【００５６】
システムコントローラ１は、スキャナアプリケーション，ファクシミリアプリケーション，プリンタアプリケーションおよびコピーアプリケーション等の複数アプリケーションの機能を有し、システム全体の制御を行う。操作パネル２の入力を解読して本システムの設定とその状態内容を操作ボードの表示部に表示する。システムコントローラ１はまた、外部端末例えばＰＣ１から印刷ジョブを受けると、印刷対象書画をビットイメージ画像に変換してフレームメモリ１５に展開し、エンジンコントローラ８のＩＰＰでプリンタＰＴＲでの作像に適する画像データに補正してプリンタＰＴＲに出力する。
【００５７】
ＰＣＩバスには多くのユニットが接続されており、画像データバス／制御コマンドバスで、画像データと制御コマンドが時分割で転送される。
【００５８】
通信コントロール装置インターフェースボード４は、通信コントロール装置と、コントローラ１との通信インターフェースボードである。コントローラ１との通信は、全二重非同期シリアル通信で接続されている。通信コントロール装置１６とは、ＲＳ−４８５インターフェース規格により、マルチドロップ接続されている。遠隔の管理システムとの通信は、この通信コントローラ装置インターフェースボード４を経由して実施される。
【００５９】
ＬＡＮインターフェースボード５は、社内ＬＡＮに接続されている。社内ＬＡＮとコントローラ１との通信インターフェースボードであり、ＰＨＹチップを搭載している。ＬＡＮインターフェースボード５とコントローラ１とは、ＰＨＹチップＩ／Ｆ及びＩ２ＣバスＩ／Ｆの標準的な通信インターフェースで接続されている。外部機器との通信はこのＬＡＮインターフェースボード５を経由して実施される。
【００６０】
ＨＤＤ３は、システムのアプリケーションプログラムならびにプリンタ、作像プロセス機器の機器付勢情報を格納するアプリケーションデータベース、ならびに、読取り画像や書込み画像のイメージデータ、すなわち画像データ、ならびにドキュメントデータを蓄える画像データベースとして用いられる。物理インターフェース、電気的インターフェース共に、ＡＴＡ／ＡＴＡＰＩ−４に準拠したインターフェースでコントローラに接続されている。
【００６１】
操作パネル２には、ＣＰＵ及びＲＯＭ，ＲＡＭ、液晶タッチパネル及びキー入力を制御するＡＳＩＣが搭載されている。ＲＯＭには操作パネル２の入力読込み、及び表示出力を制御する、操作パネル２の制御プログラムが書き込まれている。ＲＡＭは、ＣＰＵで使用する作業用メモリである。システムコントローラ１との通信により、パネルを操作して使用者がシステム設定の入力を行う入力と、使用者にシステムの設定内容，状態を表示する、表示および入力の制御を行っている。
【００６２】
システムコントローラ１のワークメモリから出力されたブラック（Ｋ）、イエロー（Ｙ）、マデンタ（Ｍ）シアン（Ｃ）、の各色の書き込み信号は、ＬＤＢ（Laser Diode control Board）のＫ，Ｙ，Ｍ，ＣのＬＤ（Laser Diode）書き込み回路に入力される。ＬＤ書込み回路でＬＤ電流制御（変調制御）が行われ、各ＬＤに出力される。
【００６３】
エンジンコントローラ８は、画像形成の作像作成制御を主として行い、ＣＰＵ１７及び、画像処理を行うＩＰＰ、複写およびプリントアウトを制御するため必要なプログラムを内蔵したＲＯＭ、その制御に必要なＲＡＭ、及びＮＶ−ＲＡＭ１８を搭載している。ＮＶ−ＲＡＭ１８にはＳＲＡＭと、電源ＯＦＦを検知して、ＥＥＰＲＯＭにストアするメモリを搭載している。また、他の制御を行なうＣＰＵとの信号の送受信を行なう、シリアルインターフェースも備えているＩ／Ｏ  ＡＳＩＣは、エンジン制御ボードが実装された、近くのＩ／Ｏ（カウンター、ファン、ソレノイド、モータ等）を制御するＡＳＩＣである。Ｉ／Ｏ制御ボード９とエンジンコントローラ８とは同期シリアルインターフェース接続されている。
【００６４】
Ｉ／Ｏ制御ボード９には、サブＣＰＵ１９を搭載しており、該ＣＰＵ１９は、Ａ／Ｄコンバータ２０を装備し、Ｐセンサ、温，湿度センサ，濃度センサ等各種センサ２１のアナログ電圧をデジタル変換して読み込む。該ＣＰＵ１９はまた、用紙センサの検出信号を参照するジャム検出，用紙搬送制御も含む画像形成装置のＩ／Ｏ制御を行っている。インターフェース回路２２は、各種センサ，アクチュエータ（モータ、クラッチ、ソレノイド）とのインターフェース回路である。
【００６５】
Ｉ／Ｏ制御ボード９のＣＰＵ１９は、エンジンコントローラ８からの指示に応じて上述の読み込み，検出，制御を行い、読み込みデータ，検出データ，制御状態データをエンジンコントローラ８のＣＰＵ１７に送信する。該ＣＰＵ１７は、ＣＰＵ１９が送ってくるデータに基づいて作像プロセスの進行状態および正常／異常をチェックし、作像プロセスの起動，作像シーケンスの進行又は停止を行う。すなわち、作像エンジンを制御する。
【００６６】
タグリード／ライタ１１８，２５３，２５４の送受信データは、Ｉ／Ｏ制御ボード９およびエンジンコントローラ８を介してシステムコントローラ１に送受信される。すなわち、システムコントローラ１が、Ｉ／Ｏ制御ボード９およびエンジンコントローラ８を介して、タグリード／ライタ１１８，２５３，２５４に対するデータ読み書きを制御する。
【００６７】
図２および図５に示す操作パネル２には、液晶タッチパネルのほかに、テンキー，クリア／ストップキー，スタートキー，初期設定キー，モードクリアキー，テスト印刷キーがある。テスト印刷キーは、設定されている印刷部数に関わらず１部だけを印刷し、印刷結果を確認するためのキーである。初期設定キーを押す事で、機械の初期状態を任意にカスタマイズする事が可能である。機械が収納している用紙サイズを設定したり、コピー機能のリセットキーを押したときに設定される状態を任意に設定可能である。初期設定キ−が操作されると、各種初期値を設定するための「初期値設定」機能ならびに「パスワード登録」機能，「著作権登録／設定」機能および「使用実績の出力」機能等を指定するための選択ボタンが表示される。「初期値設定」機能を用いて、一定時間操作が無いときに優先して選択されるアプリケーション等も選択する事、国際エネルギースター計画に従った低電力への移行時間の設定や、オートオフ／スリープモードへの移行する時間を設定する事が可能である。
【００６８】
液晶タッチパネルには、各種機能キー及び画像形成装置の状態を示すメッセージなどが表示される。液晶タッチパネル７９には、「コピー」機能，「スキャナ」（スキャナ配信）機能，「プリント」機能，「ファクシミリ」機能，「蓄積」機能，「編集」機能，「登録」機能およびその他の機能選択用および実行中を表わす機能選択キーが表示される。なお、「蓄積」機能は、原稿スキャナ２１０で読み取った原稿の画像データ，ファクシミリ受信データおよびＰＣからの書画をＨＤＤの蓄積領域に記憶する機能である。「登録」機能は、ＨＤＤの登録領域に記憶する機能であり、ＨＤＤの蓄積領域に記憶した書画のうち、多くのユーザが使用する共通性が高い書画や、長期保存したい書画や、特別な管理を設定したい書画をＨＤＤの登録領域に記憶する機能である。
【００６９】
液晶タッチパネルには、機能選択キーで指定された機能に定まった入出力画面が表示され、例えば「複写」機能が指定されているときには、機能キーならびに部数及び画像形成装置の状態を示すメッセージが表示される。オペレータが液晶タッチパネルに表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００７０】
図６に、図５に示すシステムコントローラ１（のＣＰＵ）の、プログラムＲＯＭに格納されＲＡＭに展開されるプログラムに基づいた画像処理制御、すなわち操作パネル２に対するユーザの操作またはＰＣ１〜ＰＣ３からのコマンドに応答して実行するシステム制御の概要を示す。
【００７１】
動作電圧が加わるとシステムコントローラ１は、出力ポートのクリア，内部メモリ，レジスタの初期化等を行い（ｓ１，ｓ２）、そして各部の状態読み取りを行う（ｓ３）。異常個所があるとそれを操作パネル２のディスプレイで報知し、正常に変わるのを待つ（ｓ５）。正常であると、「入力読み取り」（ｓ６）で、操作パネル２に対するユーザの操作あるいはＰＣ又はＦＡＸからのコマンド又は受信要求があるのを待つ。
【００７２】
ここで、操作パネル２上の「初期設定」キーが操作されると、操作パネル２（にあるＣＰＵ）は、「初期設定」（ｓ８）を実行する。この「初期設定」（ｓ８）において操作パネル２は、その液晶タッチパネル（ＬＣＤ）に、初期設定のメニュー画面を表示する。該メニュー画面にはユーザ登録の項目があり、該ユーザ登録をオペレータが指定すると、管理者パスワードの入力画面を表示する。オペレータが管理者パスワードを入力すると、操作パネル２は、ユーザ登録入力画面を表示する。この画面上にユーザ名とパスワードを入力して、ユーザ登録することができる。ユーザ登録情報（ユーザ名＆パスワード）は、システムコントローラ１のＮＶ−ＲＡＭに書き込まれる。すなわちシステムコントローラ１に登録される。
操作パネル２の液晶タッチパネルに表示された機能選択キー群の中の「コピー」にユーザがタッチすると、液晶タッチパネルの表示は、コピーモードの入力画面となり、システムコントローラ１は、操作パネル２に対するユーザのコピー用入力操作に応答する「コピー」（ｓ１０）を実行する。
【００７３】
機能選択キー群の中の「読み取り」にユーザがタッチすると、液晶タッチパネルの表示は、原稿画像「読み取り」モードの入力画面となり、システムコントローラ１は、操作パネル２に対するユーザの読み取り用入力操作に応答する「読み取り」（ｓ１２）を実行する。機能選択キー群の中の「印刷」にユーザがタッチすると、液晶タッチパネルの表示は、蓄積画像の「印刷」モードの入力画面となり、システムコントローラ１は、操作パネル２に対するユーザの蓄積画像印刷のための入力操作に応答する「印刷」（ｓ１４）を実行する。機能選択キー群の中の「ファクシミリ」にユーザがタッチすると、液晶タッチパネルの表示は、スキャナ２１０に配置した原稿の「ファクシミリ（送信）」モードの入力画面となり、システムコントローラ１は、操作パネル２に対するユーザのファクシミリ送信のための入力操作に応答する「ファクシミリ」（ｓ１６）を実行する。機能選択キー群の中の「蓄積」にユーザがタッチすると、液晶タッチパネルの表示は、スキャナ２１０に配置した原稿の画像をＨＤＤ５に蓄積（登録）する「蓄積」モードの入力画面となり、システムコントローラ１は、操作パネル２に対するユーザの蓄積のための入力操作に応答する「蓄積」（ｓ１８）を実行する。機能選択キー群の中の「編集」にユーザがタッチすると、液晶タッチパネルの表示は、ＨＤＤ５に蓄積した画像を読み出して編集する「編集」モードの入力画面となり、システムコントローラ１は、操作パネル２に対するユーザの編集のための入力操作に応答する「編集」（ｓ２０）を実行する。
【００７４】
複合機能プリンタＭＦ１にＬＡＮを介して接続されるＰＣ（パソコン）ＰＣ１〜ＰＣ３には、該ＰＣを操作パネル２と同等の操作端末とししかもＰＣに接続されたディスプレイに、操作パネル２のディスプレイと同様に読み取り画像を表示するアプリケーションプログラムがインストールされており、ユーザはＰＣを用いて、操作パネル２を使用するのと同等に、プリンタＭＦ１を使用することができる。ただし、操作パネル２のディスプレイである液晶タッチパネルはタッチ入力方式と２次元カーソル操作入力方式の併用であるが、これらの入力方式にかえてＰＣでは、キーボードのキー入力及びマウスが採用されている。ＰＣのアプリケーションプログラムを起動することにより、操作パネル２の液晶タッチパネルに表示される操作ボード入力画面と同様な入力画面がＰＣのディスプレイに表示され、該入力画面上の入力ボタンにカーソルをおいてダブルクリックするか、あるいはEnterキーを押すことにより、該入力ボタンに対する入力操作をＰＣが認識する。ＰＣに対する入力操作に応答して、ＰＣからプリンタＭＦ１のシステムコントローラ１にコマンドが送られてくると、システムコントローラ１は、操作パネル２に対して入力操作があった場合と同様に、コマンド対応の制御に進む（ｓ２２）。
【００７５】
図７に、「コピー」（ｓ１０）の内容を示す。「コピー」（ｓ１０）に進むと操作パネル２の液晶タッチパネル（又はＰＣの使用による場合はＰＣのディスプレイ）にコピー入力画面を表示し（ｓ３１）、表示上にユーザＩＤ入力画面を表示してユーザＩＤ入力を促す。これに応じてオペレータが、操作パネル２にユーザＩＤを入力し、あるいはフィニッシャ１００のスロット１１７にユーザＩＤカード（ユーザＩＤを含むユーザ管理情報を書き込んだ無線タグ付きのＩＤカード）を挿入し、操作パネル２が読み込んだ、又は、タグリード／ライタ１１８が読み込んだユーザＩＤが、ＮＶ−ＲＡＭに登録されたものであると、該ユーザＩＤをレジスタ（ＳＲＡＭの１領域；以下同様）に書込み（保持し：セーブし；ｓ５１）、システムコントローラ１は、コピー入力画面に対するオペレータの入力の読み込みと入力対応の複写条件を設定する（ｓ３２〜ｓ３５，ｓ４９〜ｓ５１）。オペレータは原稿をＡＤＦ２３０（あるいはコンタクトガラス２３１上）にセットし、所望するコピーモード等の設定とコピー開始（スタート）のキー入力を操作パネル２（又はＰＣ）に行う（以下ではＰＣの場合の記述を省略する）。なお、スタートキーの操作がなく、他のモード（画像読込み，印刷，蓄積，・・・）を指定するキー入力があると、該指定のモードの入力画面に切り換える（ｓ３６）。
【００７６】
スタートキーの押下があると、すなわちスタート指示があると、操作パネル２はオペレータが入力した情報を、機器内部の制御コマンドデータに変換し発行する。発行された制御コマンドデータはシステムコントローラ１に通知される。システムコントローラ１はコピー開始の制御コマンドデータに従って、コピー動作プロセスのプログラムを実行し、コピー動作に必要な設定や動作を順に行う。
【００７７】
まず、原稿センサ２２３が原稿を検出していると、ＡＤＦ２３０のタグリード／ライタ２５４を用いて原稿トレイ上の原稿のタグ読取りを行い、原稿センサ２２３が原稿を検出していないと、圧板２５０ｐのタグリード／ライタ２５３を用いてコンタクトガラス２３１上の原稿のタグ読取りを行う（ｓ３８）。有効な管理情報を読取ると、該管理情報をレジスタに保持する（ｓ４０）。
【００７８】
そして該管理情報に機密情報があるか検索し、機密情報があるが、レジスタにユーザＩＤを保持していないと（ユーザＩＤ入力なしのスタート指示であると）、機密情報印刷の権限のない複写指示であるので、「入力読み込み」（ｓ３２）に戻る。すなわち複写は実行しない。つまり複写を禁止する。レジスタにユーザＩＤを保持していても、該ユーザＩＤが、上記機密情報がある原稿の複写が不許可であるときも、「入力読み込み」（ｓ３２）に戻る（ｓ４２，ｓ３２）。すなわち複写を禁止する。
【００７９】
レジスタにユーザＩＤを保持し、しかも該ユーザＩＤが、上記機密情報がある原稿の複写が許可されたものであるときは、タグリード／ライタ２５４又は２５３で読取っている無線タグに、レジスタに保持するユーザＩＤと現在設定中の印刷ジョブ（ここでは複写条件）を追記する（ｓ４３，４４）。そして複写（原稿読み取りｓ４５，ｓ４６）を行う。
【００８０】
なお、上記追記は、原稿センサ２２３が原稿を検出しているＡＤＦ使用の場合は、原稿トレイ２４１上の原稿群のなかの、最初に機密情報を読取った原稿（第１枚目の原稿）のみに行う。これは、原稿トレイ２４１上の原稿群の多数の原稿の無線タグ書き込みによる原稿送りの遅れ（原稿群の読み取り速度低下）を防止するためである。
【００８１】
原稿に無線タグがない場合，無線タグがあっても管理情報の書き込みが無い場合、ならびに、管理情報があっても機密情報がない場合には、上記追記の処理（ｓ４０〜ｓ４４）は行わず、複写（原稿読み取りｓ４５，ｓ４６）を行う。この複写では、ＡＤＦ２３０による原稿送給の場合には、原稿トレイ２４１上の原稿群の全ての原稿の読み込みが終わってから、指定部数の印刷を行う。コンタクトガラス２３１上の原稿を読取る複写では、ステープルが指定されていると操作パネル２からの読込み終了キー入力があるまで複数回の原稿読取りを繰り返し、読込み終了キー入力があると読み込んだ画像の印刷を開始するが、ステープルの指定が無い場合には、原稿の一枚ごとに、原稿読取りおよび印刷を行う。
【００８２】
ステープルの指定が無い場合は、ＡＤＦ２３０からの原稿送給か、コンタクトガラス２３１上の原稿読取りかにかかわらず、レジスタに管理情報を保持していないか保持していても管理情報に機密情報がない場合には、ステープルの指定がないと、１枚の印刷（プリントアウト）のたびに、転写済紙（画像を形成した用紙）を、フィニッシャ１００の汎用トレイ１０４に送出する。ステープルの指定があるとステープル台に送りステープルしてから特別トイレ１１０に送る（ｓ４７，ｓ４８）。
【００８３】
しかし、レジスタに管理情報を保持し該管理情報に機密情報があると、各転写済紙の無線タグに、レジスタに保持する管理情報にレジスタに保持するＩＤと現在実行中の印刷ジョブ（複写ジョブ）の情報を付加した管理情報を、タグリード／ライタ１１８で書込み（ｓ５２）、フィニッシャ１００のステープル台１０８に収容する。印刷ジョブ情報としては、ジョブ発行元情報，ＭＦ１識別情報，印刷枚数情報，印刷堆積順情報，印刷実行時刻情報，ジョブ完了情報などがある。
【００８４】
次に図８を参照する。ＡＤＦ２３０による原稿送給の場合には、原稿トレイ２４１上の原稿群の全ての原稿の読み込みが終わってから、指定部数の印刷を行う。各部の印刷が終わるたびに、ステープラ１０６で、ステープル台１０８上の転写済紙の束（１部）を一体に綴じて（ｓ５３）、特別トレイ１１０に送る。部数が２以上であると、これを繰り返す。ＡＤＦ２３０を使用しない複写の場合すなわちコンタクトガラス２３１に手差しで原稿を載置する複写の場合には、操作パネルでステープルが指定されていないと、転写済紙の１枚ごと、ステープルせずに特別トレイ１１０に送るが、ステープルが指定されていると、操作パネル２からの読込み終了キー入力があるまで複数回の原稿読取りを繰り返して原稿画像を複合機能プリンタＭＦ１内に蓄積し、読込み終了キー入力があると、上記複数回の原稿読取りの画像を１部として印刷を実行してステープル台１０８に収容してステープラ１０６で綴じてから特別トレイ１１０に送る。これを指定部数まで繰り返す（ｓ５３，ｓ５４）。
【００８５】
上記印刷ジョブを終了するとシステムコントローラ１は、オートロック１１６にロック（施錠）を指示し（ｓ５５）、複写完了を操作パネル２に表示する（ｓ５６）。すなわちジョブ完了を報知する。この場合は、「コピーはボックスにあります。ユーザＩＤを入力してください。」と表示する。そしてＴａ時限のタイマＴａをスタートして（ｓ５７）、ユーザＩＤの入力を待つ。ユーザＩＤの入力がなく、タイマＴａがタイムオーバ（時限Ｔａの計時を完了）すると、再度ジョブ完了を報知する（ｓ５６）。操作パネル２にレジスタに保持するユーザＩＤの入力があると、又は、スロット１１７にユーザＩＤカードが挿入され、タグリーダ／ライタ１１８が該ＩＤカードの無線タグのユーザを読み込み、これがレジスタに保持するユーザＩＤと合致すると（ｓ５８〜ｓ６２）、システムコントローラ１は、オートロック１１６にアンロック（解錠）を指示する。そしてＴｂ時限のタイマＴｂをスタートして（ｓ６４）、カバー１１５の開閉検出スイッチの信号を監視し（ｓ６５）、カバー１１５が開けられると、図７のコピー入力画面の表示（ｓ３１）に戻る。
【００８６】
カバー１１５が開けられないでタイマＴｂがタイムオーバするとシステムコントローラ１は、オートロック１１６に再度ロック（施錠）を指示して（ｓ６６，ｓ６７）、ジョブ完了を報知する（ｓ５６）。これにより、ユーザがカバー１１５を開けてボックス内の特別トレイ１１０上のコピー（転写済紙）を取り出さないと、システムコントローラ１は、複写を指示したユーザＩＤの入力待ちおよびボックスカバー１１５の開き待ちに留まり、「入力読み込み」（ｓ３２）には戻らず、つぎの複写等の指示は受け付けない。
【００８７】
図９に、図６に示す「印刷」（ｓ１４）の内容を示す。「印刷」（ｓ１４）に進むとシステムコントローラ１は、操作パネル２の液晶タッチパネル（又はＰＣの使用による場合はＰＣのディスプレイ）に印刷入力画面を表示し（ｓ７１）、表示上にユーザＩＤ入力画面を表示してユーザＩＤ入力を促す。これに応じてオペレータが、操作パネル２にユーザＩＤを入力し、あるいはフィニッシャ１００のスロット１１７にユーザＩＤカードを挿入し、操作パネル２が読み込んだ、又は、タグリード／ライタ１１８が読み込んだユーザＩＤが、ＮＶ−ＲＡＭに登録されたものであると、該ユーザＩＤをレジスタに書込み（保持し：セーブし；ｓ８８）、システムコントローラ１は、印刷入力画面に対するオペレータの入力の読み込みと入力対応の印刷条件（印刷ジョブ）を設定する（ｓ７２〜ｓ７５，ｓ８６〜ｓ８８）。その中でオペレータは、ＨＤＤ３に蓄積している書画ファイルを印刷ファイルに指定する（ｓ７５，ｓ７５）。そしてスタートキーを押す。なお、スタートキーの操作がなく、他のモード（複写，画像読込み，蓄積，・・・）を指定するキー入力があると、該指定のモードの入力画面に切り換える（ｓ７６）。
【００８８】
スタートキーが押されると、システムコントローラ１は、印刷ファイルの管理情報をレジスタに保持し（ｓ７８）、そして該管理情報に機密情報があるか検索し、機密情報があるが、レジスタにユーザＩＤを保持していないと（ユーザＩＤ入力なしのスタート指示であると）（ｓ８０）、機密情報印刷の権限のない複写指示であるので、「入力読み込み」（ｓ７２）に戻る。すなわち印刷は実行しない。つまり印刷を禁止する。レジスタにユーザＩＤを保持していても、該ユーザＩＤが、上記機密情報がある書画ファイルの印刷が不許可であるときも（ｓ８１）、「入力読み込み」（ｓ７２）に戻る。すなわち印刷を禁止する。
【００８９】
レジスタにユーザＩＤを保持し、しかも該ユーザＩＤが、上記機密情報がある書画ファイルの印刷が許可されたものであるときは、印刷対象の書画ファイル（印刷ファイル）に、レジスタに保持するユーザＩＤと現在設定中の印刷ジョブを追記する（ｓ８２）。そして印刷を行う（ｓ８３）。
【００９０】
印刷ファイルに管理情報の書き込みが無い場合、ならびに、管理情報があっても機密情報がない場合には、上記追記の処理（ｓ８０〜ｓ８２）は行わず、印刷（ｓ８３）を行う。レジスタに管理情報を保持していないか保持していても管理情報に機密情報がない場合には、ステープルの指定が無いと、転写済紙（画像を形成した用紙）を、フィニッシャ１００の汎用トレイ１０４に送出する。ステープルの指定があるとステープル台に送りステープルしてから特別トイレ１１０に送る（ｓ８４，ｓ８５）。
【００９１】
しかし、レジスタに管理情報を保持し該管理情報に機密情報があると、各転写済紙の無線タグに、レジスタに保持する管理情報にレジスタに保持するユーザＩＤと現在実行中の印刷ジョブの情報を付加した管理情報を、タグリード／ライタ１１８で書込み（ｓ８９）、フィニッシャ１００のステープル台１０８に収容する。印刷ジョブ情報としては、ジョブ発行元情報，ＭＦ１識別情報，印刷枚数情報，印刷堆積順情報，印刷実行時刻情報，ジョブ完了情報などがある。
【００９２】
ステープル台１０８に収容した転写済紙の綴じ（ステープル）以降の処理は、図８に示す印刷後の処理と同一である。
【００９３】
上記「印刷」（ｓ１４）は、オペレータが操作パネル２又はＰＣ（ＰＣ１〜ＰＣ３）を用いて、ＨＤＤ３に蓄積している書画ファイルを選択して印刷指示した場合のものである。ＰＣから印刷指示する場合には、印刷指示のユーザＩＤはＰＣのキーボードから入力する。
【００９４】
ＨＤＤ３に蓄積している書画ファイルではなく、ＰＣ上に蓄積又は表示展開している書画ファイルの、複合機能プリンタＭＦ１による印刷の場合には、オペレータの印刷指示に応答してＰＣがＭＦ１に書画ファイルとともに印刷コマンドを送信すると、プリンタＭＦ１のシステムコントローラ１は、この印刷コマンドを受信すると、ユーザＩＤ入力および印刷ジョブ（条件）入力を促す表示情報を送信し、ＰＣ１がユーザディスプレイに該表示情報を表示し、表示画面に対するユーザ入力をＰＣ１がＭＦ１に送信し、ＭＦ１のシステムコントローラ１が、上述の「入力読み込み」（ｓ７２）以下の処理（ｓ７２〜ｓ８９，ｓ５３〜ｓ６７）を、複写の場合（ｓ３２〜ｓ５２，ｓ５３〜ｓ６７）と同様に実行する。
【００９５】
ただし、「ジョブ完了報知」（ｓ５６：図８）では、システムコントローラ１は、「コピーはボックスにあります。ユーザＩＤを入力してください。」を操作パネル２に表示するとともに、これにユーザＩＤの入力催告を加えた催告画面を、ＰＣのディスプレイに表示する。そして、ＰＣからユーザＩＤの送信があると、あるいは、操作パネル２にレジスタに保持するユーザＩＤの入力があると、もしくは、スロット１１７にユーザＩＤカードが挿入され、タグリーダ／ライタ１１８が該ＩＤカードの無線タグのユーザを読み込み、これがレジスタに保持するユーザＩＤと合致すると（ｓ５８〜ｓ６２）、システムコントローラ１は、オートロック１１６にアンロック（解錠）を指示する。
【符号の説明】
【００９６】
３０：第１トレイ
３１：第２トレイ    ３２：第３トレイ
３３：第１給紙装置  ３４：第２給紙装置
３５：第３給紙装置  ３６：縦搬送ユニット
３７：感光体        ３８：搬送ベルト
３９：定着ユニット  ４０：排紙ユニット
４１：分岐爪        ４２：現像器
４３：書込ユニット１００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
１１５：ボックスカバー
１１６：オートロック
１１７：カードスロット
１１８：タグリード／ライタ
２０７：イメージセンサ
２２１，２２５：ロータリエンコーダ
２２３：原稿センサ  ２２４：ステッピングモータ
２３１：原稿台ガラス
２３２：照明ランプ  ２３３：第１ミラー
２３４：第２ミラー  ２３５：第３ミラー
２３６：レンズ      ２３８：ステッピングモータ
２４０：コンタクトガラス
２４１：原稿トレイ  ２４２：ピックアップローラ
２４３：レジストローラ対
２４４：搬送ドラム  ２４５：押さえローラ
２４６，２４７：排紙ローラ
２４８：排紙トレイ兼用の圧板
２４９：基点センサ  ２５１：スケール
２５２：圧板開度検出スイッチ
２５３：タグリード／ライタ
２５４：タグリード／ライタ
【先行技術文献】
【特許文献】
【００９７】
【特許文献１】特開２００７−  ６７９１９号公報
【特許文献２】特開２００７−  ７６１３０号公報
【特許文献３】特開２００５−  ３５１４５号公報
【特許文献４】特開２００５−  ４１６０８号公報
【特許文献５】特開２００５−１７８１９１号公報
【特許文献６】特開２００６−１０３２８３号公報
【図１】
2010186012.tif 000003
【図２】
2010186012.tif 000004
【図３】
2010186012.tif 000005
【図４】
2010186012.tif 000006
【図５】
2010186012.tif 000007
【図６】
2010186012.tif 000008
【図７】
2010186012.tif 000009
【図８】
2010186012.tif 000010
【図９】
2010186012.tif 000011